(57)【要約】【課題】内障子６の支持強度が大きく、合成樹脂製の樹脂枠の着脱が可能であり、断熱性にも優れる断熱サッシの上枠構造。【解決手段】室外側を金属枠１ａとし、室内側を合成樹脂製の樹脂枠１ｂとし、外側の外障子５と内側の内障子６とをそれぞれ摺動自在に案内する案内レールを室外側と室内側に備えた複合構造の断熱サッシの上枠構造において、前記樹脂枠１ｂは室内側の案内レール１８を含むとともに、この案内レール１８には上方に開口する開口溝２６を形成するとともに、この開口溝２６には金属製補強部材２７を挿入するとともに、前記金属補強部材２７を金属枠１ａにネジで固定したことを特徴とする。【選択図】        図３
2004360321.tif 000002
【特許請求の範囲】
【請求項１】
室外側を金属枠とし、室内側を合成樹脂製の樹脂枠とし、外側の外障子と内側の内障子とをそれぞれ摺動自在に案内する案内レールを室外側と室内側に備えた複合構造の断熱サッシの上枠構造において、前記樹脂枠は、前記室内側の案内レールを含むとともに、この案内レールには上方に開口する開口溝を形成するとともに、この開口溝には金属製補強部材を挿入するとともに、前記金属補強部材を金属枠に固定したことを特徴とする断熱サッシの上枠構造。
【請求項２】
前記補強部材は、前記樹脂枠の開口溝に挿入する縦片と、前記金属枠に固定される横片とを備えていることを特徴とする、請求項１記載の断熱サッシの上枠構造。
【請求項３】
前記補強部材は前記樹脂枠の開口溝に挿入される縦片と、金属枠にネジ止めされる横片とを有するとともに、金属枠に設けられた溝に挿入する突部を有することを特徴とする、請求項１記載の断熱サッシの上枠構造。
【請求項４】
前記補強部材と室内側の案内レールの開口溝の内壁のいずれか一方又は両方には突条部が設けられ、補強部材を前記開口溝に挿入したとき、前記突条部により補強部材と樹脂枠の内壁との間に空間が設けられることを特徴とする、請求項１、２又は３に記載の断熱サッシの上枠構造。
【請求項５】
前記補強部材は短尺の部材からなり、障子を閉じた状態の障子召し合わせ部の位置にネジで固着したことを特徴とする、請求項１、２、３又は４に記載の断熱サッシの上枠構造。
【請求項６】
前記補強部材は、前記内障子が閉じられる部分にのみ設けられたことを特徴とする、請求項１、２、３又は４に記載の断熱サッシの上枠構造。
【請求項７】
前記補強部材は、上枠のほぼ全長にわたって設けられたことを特徴とする、請求項１、２、３又は４に記載の断熱サッシの上枠構造。
【請求項８】
室外側を金属枠とし、室内側を合成樹脂製の樹脂枠とし、外側の外障子と内側の内障子とをそれぞれ摺動自在に案内する案内レールを室外側と室内側に備え、外側案内レールは、金属枠のレールと樹脂枠の外レールとを重合させることによって構成され、内側案内レールは樹脂枠の内レールによって構成されている複合構造の断熱サッシの上枠構造において、前記金属枠に樹脂枠を取り付ける際に、まず樹脂枠の室内側案内レールに上向きに形成された開口溝に金属製補強部材を挿入しておき、さらに樹脂枠の外レール下端部を、金属枠のレールの下端部に係止した後、樹脂枠を回動して金属枠の室内側端部に係止するとともに、前記金属補強部材のうち前記開口部からはみ出た部分を金属枠にネジで固定することを特徴とする断熱サッシの上枠の組立方法。
【発明の詳細な説明】
【０００１】
【発明の属する技術分野】
本発明は、室外側を金属枠とし、室内側を合成樹脂製の樹脂枠とした断熱サッシの上枠構造及び上記上枠の組立方法に関する。
【０００２】
【従来技術とその問題点】
一般に、断熱サッシは、上枠、下枠及び左右の縦枠ともに、室外側を金属枠とし、室内側を合成樹脂製の樹脂枠とした複合構造からなるものであり、上枠には外側の外障子と内側の内障子とをそれぞれ摺動自在に案内する案内レールが室外側と室内側に設けられている。そして、外側案内レールは、金属枠のレールと樹脂枠の外レールとを重合させることによって構成され、内側案内レールは樹脂枠の内レールによって構成されていた。
【０００３】
ところが、内側案内レールを樹脂枠の内レールだけで構成すると、障子が大型化した場合などに強度が十分とはいえないことがあった。このため、樹脂枠の内側案内レールに金属製の補強部材を重合することにより、樹脂の案内レールの強度を補うようにしていた（例えば、特許文献１参照）。
【０００４】
【特許文献１】
特開平１１−１３３４３号公報
【０００５】
【発明が解決しようとする課題】
しかしながら、従来の金属補強部材はその下端を樹脂枠の内側案内レールの室内側に係止させる構成であったため、補強部材の室内側の面は室内側に露出するように配置されている。このため、金属製補強部材は室内側に露出していた。したがって、室内側から補強部材の金属部分と樹脂枠とが見えるので、外観が損なわれるほか、断熱性に乏しく、結露が発生するおそれがあった。
【０００６】
また、金属枠と樹脂枠とは工場で特殊な装置で結合されるため、施工現場では簡単に着脱することはできない。このため、樹脂枠と金属枠との組み立てが面倒であり、また、枠の組み立て時や輸送時等において、樹脂枠に傷がついたり、破損したりしても、樹脂枠を金属枠から取り外すということはできなかった。
【０００７】
本発明は上記問題点を解消し、内障子の支持強度が大きく、樹脂枠の着脱が可能であり、断熱性にも優れる断熱サッシの上枠構造を提供することをその課題とする。
【０００８】
【課題を解決するための手段】
前記課題を解決するため、本発明に係る断熱サッシの上枠構造は、室外側を金属枠とし、室内側を合成樹脂製の樹脂枠とし、外側の外障子と内側の内障子とをそれぞれ摺動自在に案内する案内レールを室外側と室内側に備えた複合構造の断熱サッシの上枠構造において、前記樹脂枠は、前記室内側の案内レールを含むとともに、この案内レールには上方に開口する開口溝を形成するとともに、この開口溝には金属製補強部材を挿入するとともに、前記金属補強部材を金属枠に固定したことを特徴とする。
【０００９】
なお、前記補強部材は、前記樹脂枠の開口溝に挿入する縦片と、前記金属枠に固定される横片とを備えるのが好ましく、さらには、金属枠に設けられた溝に挿入する突部を形成するのが好ましい。
【００１０】
また、前記補強部材と室内側の案内レールの開口溝の内壁のいずれか一方又は両方には突条部を設け、補強部材を前記開口溝に挿入したとき、前記突条部により補強部材と樹脂枠の内壁との間に空間が設けられるようにするのがよい。
【００１１】
さらに、前記補強部材は短尺の部材からなり、障子を閉じた状態の障子召し合わせ部の位置にネジで固着するようにしてもよく、あるいは、前記内障子が閉じられる部分にのみ設けられるものであってもよい。さらには、前記補強部材は、上枠のほぼ全長にわたって設けられる構成であってもよい。
【００１２】
また、上記上枠の取り付け方法は、室外側を金属枠とし、室内側を合成樹脂製の樹脂枠とし、外側の外障子と内側の内障子とをそれぞれ摺動自在に案内する案内レールを室外側と室内側に備え、外側案内レールは、金属枠のレールと樹脂枠の外レールとを重合させることによって構成され、内側案内レールは樹脂枠の内レールによって構成されている複合構造の断熱サッシの上枠構造において、前記金属枠に樹脂枠を取り付ける際に、まず樹脂枠の室内側案内レールに上向きに形成された開口溝に金属製補強部材を挿入しておき、さらに樹脂枠の外レール下端部を、金属枠のレールの下端部に係止した後、樹脂枠を回動して金属枠の室内側端部に係止するとともに、前記金属補強部材のうち前記開口部からはみ出た部分を金属枠にネジで固定することを特徴とする。
【００１３】
【発明の実施の形態】
図１は本発明に係る断熱サッシの縦断面図であり、図２はその横断面図である。この断熱サッシは、上枠１と下枠２と左右の縦枠３とからなり、内側に網戸４と室外側の外障子５と室内側の内障子６とを摺動自在に収納したもので、図３に詳しく示されるように、上記各枠は室外側の金属枠と室内側の合成樹脂枠とを結合した複合構造になっている。すなわち、上枠１において金属枠１ａは上部を含む室外側の部分に設けられ、樹脂枠１ｂは下部を含む室内側の部分に設けられている。
【００１４】
金属枠１ａはアルミニウム又はその合金製の押出型材から形成され、室外側の上段部７と室内側の下段部８とから構成される枠本体９には、その中央上部に取り付けフィン１０が起立形成され、室外側には網戸用案内レール１１と外障子用レール１２が垂下形成されている。また、室内側の端部には、係止縁１３が屈曲形成されている。なお、上記外障子用レール１２の下端部には室内側にＬ字形に屈曲した係止部１４が形成されている。
【００１５】
これに対し、樹脂枠１ｂは塩化ビニルなどの合成樹脂の押出型材から形成され、室外側には、水平縁１５とその室外側端部から垂下した外障子用外レール１６とその上部の中空部１７とが形成され、室内側には、上記水平縁１５の室内側端部から垂下した内障子用内レール１８と、該内レール１８の上端から室内側に延出した結合縁１９と、該結合縁１９の室内側端部から垂下した仕切り縁２０と、仕切り縁２０の中間部から室内側に突出した取付縁２１とが形成されている。上記外レール１６には、その下端部に室外側にＬ字形に屈曲する係止部２２が形成され、その中間部には室外側に突出する凸部２３が形成されている。内レール１８は案内レールとして形成されている。また、上記中空部１７の室内側の上端角隅部には、係止突部２４が形成されている。さらに、結合縁１９と仕切り縁２０とによって構成される角隅部には係止溝２５が形成されている。
【００１６】
なお、上記樹脂枠１ｂの内レール１８には、上方に開口する開口溝２６が形成されている。開口溝２６の室内側の内壁には小さな突条部が形成されている。上記開口溝２６には金属製補強部材２７が挿入されている。
【００１７】
この金属補強部材２７はアルミニウム、スチール、ステンレス等から構成され、図４に示されるように、縦片２８と横片２９とからなる逆Ｌ字形の部材である。横片２９は縦片２８の上端から室外側に突出している。また、縦片２８の室外側には小さな突条部３０が形成されている。なお、樹脂枠１ｂの開口溝２６の内壁にも突条部３０が形成されている。突条部３０は縦片２８又は開口溝２６の内壁のいずれかに形成する構成であってもよい。
【００１８】
また、縦片２８は樹脂枠１ｂの開口溝２６に挿入されるが、このとき、横片２９の端部は中空部１７の係止突部２４に係止するように形成されている。
【００１９】
なお、補強部材２７は樹脂枠１ｂの全長にわたって設けてもよいが、補強部材２７を短尺の部材とし、障子を閉じた状態の障子召し合わせ部の位置（図２のＡの位置）に配置される構成でもよく、あるいは、やや長尺として内障子６が閉じられる部分（図２のＢの位置）にのみ設けられる構成であってもよい。
【００２０】
上記構成において、金属枠１ａに樹脂枠１ｂを取り付けるときは、まず、図５のように樹脂枠１ｂに補強部材２７の縦片２８を挿入し、横片２９の端部を樹脂枠１ｂの中空部１７の係止突部２４に係止する。これにより、補強部材２７は仮止め状態となる。次に、樹脂枠１ｂの外レール１６の下端部に形成された係止部２２を、金属枠１ａの外障子用レール１２の下端部に形成された係止部１４に係止した後、樹脂枠１ｂの室内側部分を矢印のように回動し、図３に示されるように、樹脂枠１ｂの室内側の上部に形成された係止溝２５に金属枠１ａの室内側の端部に形成された係止縁１３を係止させる。さらに、樹脂枠１ｂの結合縁１９と金属枠１ａとをネジ３１で固定するとともに、補強部材２７の横片２９と金属枠１ａの枠本体９とをネジ３２で固定する。このネジ３２は樹脂枠１ｂの水平縁１５に形成した取付孔３３から挿通すればよい。これにより、樹脂枠１ｂと補強部材２７は金属枠１ａに一体的に取り付けられる。
【００２１】
樹脂枠１ｂを金属枠１ａに取り付けた結果、外障子５の摺動を案内する外側案内レールは、金属枠１ａのレール１２と樹脂枠１ｂの外レール１６とを重合させることによって構成され、内障子６の摺動を案内する内側案内レールは樹脂枠１ｂの内レール１８によって構成される。なお、上記障子召し合わせ部の位置には、弾性を有する合成樹脂製の中央気密ピース３４が取り付けられ、外障子５と内障子６との間の上部空間から外気が室内側に進入するのを防止する。
【００２２】
上記構成の上枠１は、図１に示されるように、建屋開口部に対して金属枠１ａの取り付けフィン１０と、樹脂枠１ｂの取付縁２１と、樹脂枠１ｂの結合縁１９と金属枠１ａの枠本体９との重合部とを木ネジ等で固定すればよい。なお、樹脂枠１ｂと金属枠１ａとのネジ止め結合は、上記ネジ３１によらず、図１に示すように、上枠１を建屋開口部の上縁部に固定するときに、同時に木ネジ３５で固定するようにしてもよい。
【００２３】
上述の構成によれば、樹脂枠１ｂの室内レール１８の開口溝２６に金属製補強部材２７を挿入したので、レール自体の見込み寸法が大きくなることがなく、また、金属枠１ａに補強部材２７を直接にネジで固着するため、強固に取り付けることができるとともに、内レール１８の強度が向上する。さらに、補強部材２７は樹脂枠１ｂの裏側に位置するので、外部には現われないから、上枠１の見栄えがよくなる。
【００２４】
また、内レール１８の開口溝２６と補強部材２７の縦片２８との間には突条部３０により空間が形成されているから、断熱性に優れる。同様に、金属枠１ａの枠本体９及び外障子用レール１２と樹脂枠１ｂの中空部１７及び外レール１６との間、また金属枠１ａの枠本体９と樹脂枠１ｂの水平縁１５との間にも断熱空間が形成される。しかも、突条部３０は補強部材２７の抜け止め機能も有する。
【００２５】
さらに、金属製補強部材２７を内外障子５の召し合わせ部に配置するときは、風圧に対する強度が向上する。また、ガラスを組み込んだ障子をサッシ枠に組み付けて組立完成品として施工現場へ輸送するとき、サッシ全体を平積みする場合がある。この場合、障子の重量が上枠１にかかり、樹脂製の室内側レールには負担がかかるが、金属製の補強部材２７を召し合わせ部に設けることにより、平積み輸送時の室内側レールの強度を向上させることができる。
【００２６】
樹脂枠１ｂの取り付けにあたっては、樹脂枠１ｂを回動させることにより金属枠１ａに組み付け及び取り外しができるので、樹脂枠１ｂと金属枠１ａとの組立が容易であるだけでなく、枠の組み立て時や輸送時等において、樹脂枠１ｂに傷がついたり、破損したりした場合に取り替えが容易となる。
【００２７】
なお、下枠２及び縦枠３も金属枠１ａと樹脂枠１ｂとから構成されている。
【００２８】
ところで、補強部材２７による補強構造は、上述の例に限定されない。例えば、図６に示されるように、金属枠１ａの枠本体９の下面に係合溝３６を形成するとともに、補強部材２７には上記係合溝３６に係合する突部３７を形成しておき、樹脂枠１ｂを金属枠１ａに取り付けるときに、上記突部３７を係合溝３６に係合させるようにしてもよい。
【００２９】
この場合も、金属枠１ａに樹脂枠１ｂを取り付けるときは、図７に示されるように、内レール１８の開口溝２６に補強部材２７の縦片２８を挿入し、横片２９を樹脂枠１ｂの水平縁１５に当接させて仮止め状態とする。次に、樹脂枠１ｂの外レール１６の下端部に形成された係止部２２を、金属枠１ａの外障子用レール１２の下端部に形成された係止部１４に係止した後、樹脂枠１ｂの室内側部分を矢印のように回動し、樹脂枠１ｂの室内側の上部に形成された係合溝３６に補強部材２７の突部３７を係合溝３６に係合させ、さらに、樹脂枠１ｂの結合縁１９と金属枠１ａとをネジ３１で固定するとともに、補強部材２７の横片２９と金属枠１ａの枠本体９とをネジ３２で固定すればよい。
【００３０】
上記構成によれば、室内側の案内レール１８に荷重が加わった場合に補強部材２７が倒れたり位置ずれしたりするのを有効に防止することができ、室内側案内レール１８をより強固に補強することができる。
【００３１】
なお、この例の場合も、上述のものと同じ取り付け方法にしたがって金属枠１ａに樹脂枠１ｂを取り付ければよい。
【００３２】
【発明の効果】
請求項１に係る発明によれば、樹脂枠の室内側の案内レールの開口溝に金属製補強部材を挿入したので、レール自体の見込み寸法が大きくなることがなく、また、金属枠に補強部材を直接に固定するため、強固に取り付けることができ、室内レールの強度が向上する。さらに、開口溝は上方に開口し、補強部材は樹脂枠の裏側に位置し、外部には現われないから、上枠の見栄えがよくなる。
【００３３】
請求項２に係る発明によれば、補強部材の縦片は樹脂枠の室内側の案内レールの開口溝に挿入し、横片は金属枠に固定すればよいので、効果的に上記案内レールの補強をすることができる。
【００３４】
請求項３に係る発明によれば、室内側案内レールに荷重が加わった場合に補強部材が倒れたり位置ずれしたりするのを有効に防止することができ、上記レールをより強固に補強することができる。
【００３５】
請求項４に係る発明によれば、室内側の案内レールの開口溝と補強部材の縦片との間には突条部により空間が形成され、金属の縦片と樹脂製開口溝の内壁とが面状に当接しているわけではないから、金属から樹脂に熱が伝達されにくく、断熱性に優れ、結露が生じにくい。
【００３６】
請求項５に係る発明によれば、金属製補強部材を内外障子の召し合わせ部に配置されているので、風圧に対する強度が向上する。また、ガラスを組み込んだ障子をサッシ枠に組み付けて組立完成品として施工現場へ輸送するとき、サッシ全体を平積みする場合がある。この場合、障子の重量が上枠にかかり、樹脂製の室内側レールには負担がかかるが、金属製の補強部材を召し合わせ部に設けることにより、平積み輸送時の室内側レールの強度を向上させることができる。
【００３７】
請求項６に係る発明によれば、補強部材は内障子が閉じられる部分に設けられているので、召し合わせ部に設けられている場合に比べて、より室内側レールの強度が向上する。
【００３８】
請求項７に係る発明によれば、上枠のほぼ全長にわたって設けられているので、内障子が閉じられる部分に設けられている場合よりもさらに室内側レールの強度が向上する。
【００３９】
請求項８に係る発明によれば、樹脂枠の取り付けにあたっては、樹脂枠を回動させることにより金属枠に組み付け及び取り外しができるので、樹脂枠と金属枠との組み立てが容易であるだけでなく、枠の組み立て時や輸送時等において、樹脂枠に傷がついたり、破損したりした場合に取り替えが容易となる。
【図面の簡単な説明】
【図１】本発明に係る断熱サッシの縦断面図
【図２】上記断熱サッシの横断面図
【図３】上記断熱サッシの上枠の要部の拡大断面図
【図４】補強部材の側面図
【図５】金属枠に対する樹脂枠の取り付け態様説明図
【図６】他の補強構造を示す断面図
【図７】金属枠に対する樹脂枠の取り付け態様説明図
【符号の説明】
１ａ  金属枠
１ｂ  樹脂枠
１８  室内側の案内レール
２６  開口溝
２７  補強部材
２８  縦片
２９  横片
【図１】
2004360321.tif 000003
【図２】
2004360321.tif 000004
【図３】
2004360321.tif 000005
【図４】
2004360321.tif 000006
【図５】
2004360321.tif 000007
【図６】
2004360321.tif 000008
【図７】
2004360321.tif 000009